(57)【要約】【課題】引出しの内部を縦横に仕切ることを、簡単な構造で実現する。【解決手段】引出し５の収納部は、左右側板１０、後面板１１、底板１２、裏板１３で前後長手の長方形に形成されている。収納部は２枚の仕切り板１６，１７で仕切られる。両仕切り板１６，１７は同一品であり、収納部の左右横幅と略同じ長さになっている。側板１０と後面板１１と裏板１３とには、側板１０の係合突起１８が嵌まる係合溝１９を形成している。かつ、仕切り板１６，１７にも、Ｔ形姿勢での嵌合を許容するため係合溝１９が形成されている。２枚の仕切り板１６，１７は、平面視Ｔ形の姿勢で引出し本体１４に嵌め込み装着することができる。従って、引出し５の内部を前後と左右とに仕切ることができて、整理機能に優れている。量仕切り板１６，１７は同一品であるため、コストも抑制できる。【選択図】図３
2015223189.tif 000002
【特許請求の範囲】
【請求項１】
収納部が長辺部と短辺部とを有する平面視長方形に形成された引出し本体と、前記引出し本体の内部に配置される複数枚の仕切り板とを備えており、
前記各仕切り板は、前記引出し本体の短辺部と平行な姿勢で引出し本体に装着できる長さに統一されていると共に、２つの広幅面の少なくとも一方に、２枚の仕切り板を平面視Ｔ形の姿勢で嵌合させることを許容する第１嵌合部が形成されている一方、
前記引出し本体には、複数枚の仕切り板を少なくとも平面視Ｔ形の姿勢にして装着できる第２嵌合部が形成されている、
引出し。
【請求項２】
平面視でおいて前記仕切り板の両端部には、当該仕切り板の板厚寸法よりも小さい巾寸法で上下長手の係合突起が形成されている一方、前記第１及び第２の嵌合部は、前記係合突起が嵌脱する上下長手の係合溝である、
請求項１に記載した引出し。
【請求項３】
２枚の仕切り板は、一方の仕切り板は引出し本体の短辺部と平行で他方の仕切り板は引出し本体の長辺部と平行な平面視Ｔ形の姿勢で嵌合可能であり、前記引出し本体の２つの短辺部のうちいずれか一方又は両方には、前記一方の仕切り板の一端部が嵌まる第２嵌合部を形成し、前記引出し本体の長辺部には、前記他方の仕切り板の一端部が嵌まる第２嵌合部を形成している、
請求項１又は２に記載した引出し。
【請求項４】
前記引出し本体は前後方向に長手の長方形であり、前後の短辺部にそれぞれ第２嵌合部を形成している一方、左右の長辺部には、前記他方の仕切り板が前向きのときに一方の仕切り板が嵌まる第２嵌合部と、前記他方の仕切り板が後ろ向きのときに一方の仕切り板が嵌まる第２嵌合部とを前後に隔てて形成している、
請求項３に記載した引出し。
【発明の詳細な説明】
【技術分野】
【０００１】
本願発明は、ワゴンやキャビネット、或いは机の袖袋に使用される引出しに関するものであり、より詳しくは、複数枚の仕切り板を備えた引出しに関するものである。
【背景技術】
【０００２】
ワゴンやキャビネット等に装架した引出しにおいて、その内部に仕切り板を設けることは広く行われている。この仕切り手段としては、引出しの左右側板に仕切り板の嵌合部を設けて、仕切り板を横長姿勢でのみ配置して引出しの内部を前後のみに仕切ることが多いが、仕切り板を縦長の姿勢にして、引出しの内部を左右にも仕切りたいという要望が存在している。
【０００３】
このような要望に応える手段として、特許文献１には、仕切り板を、左右長手の姿勢で使用されるものと前後長手の姿勢で使用されるものとの２種類用意して、２種類の仕切り板を使い分けることで、引出しを前後のみに仕切ったり左右のみに仕切ったりすることが開示されている。
【０００４】
また、特許文献２には、引出しの４つの内周面を平面視波形の形状に形成する一方、仕切り板を、左右横長の姿勢で使用されるものと、前後長手の姿勢で使用されるものとの複数種類を用意して、横長姿勢で使用する仕切り板の広幅面を平面視で波形に形成することが開示されている。この特許文献２では、横長姿勢の仕切り板の手前又は後ろの空間を前後長手の仕切り板で左右に仕切ることができる。
【先行技術文献】
【特許文献】
【０００５】
【特許文献１】実用新案登録第３０７２８７１号公報
【特許文献２】実開昭６１−１６０５４号のマイクロフィルム
【発明の概要】
【発明が解決しようとする課題】
【０００６】
特許文献１は、引出しの内部を前後に仕切るか左右に仕切るかの２社択一方式であるため、必ずしもユーザーの満足度が高いとは云えない。また、長さが異なる２種類の仕切り板を用意せねばならないため、コストが嵩む問題もある。更に、短い仕切り板を使用している状態では、長い仕切り板は引出しとは別の場所に保管せねばならないため、保管・管理が面倒であるという問題もある。
【０００７】
他方、特許文献２は、引出しの内部を前後に仕切りつつ左右にも仕切ることができるため、特許文献１に比べるとユーザーの満足度は高いと云える。しかし、長さが異なる複数種類の仕切り板を用意しなければならないため、特許文献１と同様にコストが嵩む問題は残っている。
【０００８】
本願発明は、このような現状を改善すべく成されたものである。
【課題を解決するための手段】
【０００９】
本願発明は、各請求項の構成を含んでいる。このうち請求項１の発明は、収納部が長辺部と短辺部とを有する平面視長方形に形成された引出し本体と、前記引出し本体の内部に配置される複数枚の仕切り板とを備えており、前記各仕切り板は、前記引出し本体の短辺部と平行な姿勢で引出し本体に装着できる長さに統一されていると共に、２つの広幅面の少なくとも一方に、２枚の仕切り板を平面視Ｔ形の姿勢で嵌合させることを許容する第１嵌合部が形成されている一方、前記引出し本体には、複数枚の仕切り板を少なくとも平面視Ｔ形の姿勢にして装着できる第２嵌合部が形成されている。
【００１０】
なお、請求項１に記載した「平面視Ｔ形」には、２枚の仕切り板を交叉した姿勢に嵌合することだけでなく、３枚の仕切り板をＨ形に嵌合することや、平行に配置した２枚の仕切り板の間に２枚の仕切り板を平行に配置したＨ形と成すことも含まれる。
【００１１】
請求項２の発明は、請求項１において、平面視でおいて前記仕切り板の両端部には、当該仕切り板の板厚寸法よりも小さい巾寸法で上下長手の係合突起が形成されている一方、前記第１及び第２の嵌合部は、前記係合突起が嵌脱する上下長手の係合溝になっている。
【００１２】
請求項３の発明は、請求項１又は２において、２枚の仕切り板は、一方の仕切り板は引出し本体の短辺部と平行で他方の仕切り板は引出し本体の長辺部と平行な平面視Ｔ形の姿勢で連結可能であり、前記引出し本体の２つの短辺部のうちいずれか一方又は両方には、前記一方の仕切り板の一端部が嵌まる第２嵌合部を形成し、前記引出し本体の長辺部には、前記他方の仕切り板の一端部が嵌まる第２嵌合部を形成している。
【００１３】
請求項４の発明は請求項３を具体化したもので、この発明は、前記引出し本体は前後方向（引出し動方向）に長手の長方形であり、前後の短辺部にそれぞれ第２嵌合部を形成している一方、左右の長辺部には、前記他方の仕切り板が前向きのときに一方の仕切り板が嵌まる第２嵌合部と、前記他方の仕切り板が後ろ向きのときに一方の仕切り板が嵌まる第２嵌合部とを前後に隔てて形成している。
【発明の効果】
【００１４】
本願発明では、平面視Ｔ形の姿勢に嵌合させた仕切り板によって引出し本体の内部を縦横に仕切ることができるため、仕切り態様を多様化してユーザーの満足度を高めることができる。しかも、各仕切り板は１種類で足りるため、コスト抑制に貢献できると共に、仕切り板の管理の手間も軽減できる。
【００１５】
仕切り板と引出し本体との嵌合形態や仕切り板同士の嵌合形態は様々な構造を採用できるが、請求項２の構成を採用すると、引出し本体の内周面に出っ張りがないため、人の手や物が引っ掛かることを防止できると共に、引出し本体の内部を物品の収納空間としてフルに使用できる。
【００１６】
また、仕切り板の係合突起は仕切り板の板厚よりも細巾になっているため、係合溝も必然的に仕切り板の板厚より小さくなる。従って、係合溝の溝巾をできるだけ小さくして引出し本体や仕切り板の強度低下を抑制することができる。
【００１７】
請求項３，４の構成では、短辺部と平行な１枚の仕切り板によって引出しの内部を２つに仕切って、更に、２つに仕切られた空間のうちの片方を他の仕切り板で２つに仕切るものであり、引出しの内部を前後長手の空間と左右長手の空間とに仕切ることができるため、書籍やノートなどの比較的薄い物品を倒れにくい状態に整理して収納することができる。従って、ユーザーの要望にきめ細かく応えることができる。
【００１８】
また、例えば書籍や雑誌を多数並列して並べると、皆が同じ方向に倒れてしまって、目的のものを見つけにくくなったり取り出しにくくなったりすることがあるが、請求項３，４の発明では、物品の姿勢を変えて収納できるため、書籍のような薄型で腰が弱い物品であっても、自立性を高めることができると共に、視認性を高めて取り出し易さを向上させることができる。
【図面の簡単な説明】
【００１９】
【図１】本願発明の引出しを適用したワゴンの斜視図である。
【図２】第１実施形態の分離斜視図である。
【図３】（Ａ）は第１の使用例の平面図、（Ｂ）は第２の使用例の平面図である。
【図４】（Ａ）は第３の使用例の平面図、（Ｂ）は第４の使用例の平面図である。
【図５】第２実施形態を示す図で、（Ａ）（Ｂ）は異なる使用例を示している。
【図６】嵌合部の別例である第３実施形態を示す部分平面図である。
【図７】第４実施形態の平面図である。
【発明を実施するための形態】
【００２０】
(1).ワゴン及び第１実施形態
次に、本願発明の実施形態を図面に基づいて説明する。まず、第１実施形態を説明する。本実施形態は、机（例えば児童用の学習机）とセットで使用されることが多いワゴン１に適用している。
【００２１】
ワゴン１は前面を開口したワゴン本体２を備えており、ワゴン本体２の内部には、上中下３段の引出し３，４，５が前後動自在に配置されている。各引出し５には引手穴６が形成されている。また、本実施形態では、ワゴン１が、高さ調節できる天板７を備えている。また、ワゴン１はキャスタ８も備えている。ただし、これに限定される必要はない。
【００２２】
本実施形態は、ワゴン１の一部を構成する下段の引出し５に適用している。以下では、下段の引出し５を単に引出し５と呼ぶこととする。引出し５は木製であり、図２に示すように、前板（鏡板）９、左右の側板１０、後面板１１、底板１２を備えており、前板９の後面には裏板１３が固定されており、裏板１３の左右側端面に側板１０の前端部が重なっている。
【００２３】
従って、裏板１３と側板１０と後面板１１と後面板１１とで上向きに開口した収納部（箱体）が構成されて、その前面に前板９が固定された構造になっており、これらで引出し本体１４が構成されている。収納部は，前後方向に長い長方形になっている。左右側板１０の下端部の外面には、サスペンションレール装置を構成する可動レール１５が固定されている。
【００２４】
本実施形態に係る引出し５の１つの特徴は、左右の側板１０は全長にわたって等しい高さであり、かつ、側板１０及び後面板１１の高さが一般的な引出しよりも高いということである。従って、引出し５の収納部は前後方向の全長にわたって等しい深さであり、かつ、その深さは一般的なものよりも深くなっている（深さについて補足すると、側板１０は、仕切り板１６，１７の上方に収納部の深さの数分の１しかはみ出ていない。）。このため、例えばＡ４サイズの書籍やノート、ファイルのような丈が高い物品であっても、安定良く収納することができる。
【００２５】
引出し５は、引出し本体１４の内部を仕切る２枚の仕切り板１６，１７を備えている。従って、引出し本体１４と仕切り板１６，１７とで引出し５が構成されている。２枚の仕切り板１６，１７は同一構造であるが、便宜的に、一方を第１仕切り板１６、他方を第２仕切り板１７と分けて呼ぶこととする。
【００２６】
仕切り板１６，１７は引出し本体１４と同様に木製であり（樹脂製や金属板製でもよい）、収容部の左右横幅略同じ（正確には僅かに短い）横幅寸法で、高さは収容部の深さ寸法と略同じに設定されている。そして、仕切り板１６，１７の両側端面に、仕切り板１６，１７の板厚の略半分程度の厚さの係合突起１８を上下全長に亙って形成している一方、引出し本体１４を構成する側板１０と裏板１３と後面板１１とには、係合突起１８が嵌脱自在に嵌まる係合溝１９を上下全長に亙って延びるように形成している。請求項との関係では、側板１０が長辺部に相当し、後面板１１と裏板１３とが短辺部に相当する。
【００２７】
仕切り板１６，１７の係合突起１８は、当該仕切り板１６，１７の端部のうち一方の広幅面を部分的に切除することで形成されている。従って、係合突起１８の一方の側面は、仕切り板１６，１７の一方の広幅面に対して段違いになっており、係合突起１８の他方の側面は、仕切り板１６，１７の他方の広幅面と同一面になっている。そして、仕切り板１６，１７の一方の広幅面のうち巾方向の中間部にも、係合溝１９が上下全長にわたって形成されている。
【００２８】
そして、側板１０には、裏板１３に近い順に第１〜第３の３つの係合溝１９ａ〜１９ｂが形成されているが、図３（Ａ）に示すように、第１仕切り板１６を第３係合溝１９ｃに装着すると、第２仕切り板１７を裏板１３と第１仕切り板１６とに掛け渡して装着でき、図３（Ｂ）に示すように、第１仕切り板１６を第１係合溝１９ａに装着すると、第２仕切り板１７を後面板１１と第１仕切り板１６とに掛け渡して装着（嵌合）できるように設定している。
【００２９】
従って、第１仕切り板１６を第３係合溝１９に装着すると、当該第１仕切り板１６と左右側板１０と裏板１３とで正方形の空間が形成されて、第１仕切り板１６を第１係合溝１９に装着すると、当該第１仕切り板１６と左右側板１０と後面板１１とで正方形の空間が形成される。いずれにしても、第１仕切り板１６と第２仕切り板１６とは、平面視Ｔ形の姿勢で互いに嵌合している。
【００３０】
そして、仕切り板１６，１７の長さが引出し５の収容部の左右長さと略同じであることを前提にして、第１係合溝１９ａと第３係合溝１９ｃとの前後位置関係を上記のように設定することにより、第１仕切り板１６で仕切られた２つの空間のうち片方を第２仕切り板１７で左右に仕切ることができる。図４（Ａ）（Ｂ）に示すように、２枚の仕切り板１６，１７は、左右側板１０のみに嵌め込み装着することも可能である。
【００３１】
このように、２枚の仕切り板１６，１７により、収納部を様々な態様に仕切ることができるため、雑誌やノート、書籍等の様々な物品を整理して収納することができる。しかも、２枚の仕切り板１６，１７は同じ大きさ・構造であるため、製造コストを節約できると共に、管理の手間も軽減できる。
【００３２】
上記の実施形態では、左右の側板１０の前後３箇所に係合溝１９ａ〜１９ｃを形成したが、請求項との関係では、第１係合溝１９と第３係合溝１９とのうちのいずれか一方のみがあればよい。もちろん、４箇所以上に係合溝１９を形成してもよいのであり、この場合は、収容部を前後方向のみに仕切るに際して、仕切り態様の選択肢を大きく広げることができる利点がある。
【００３３】
上記の実施形態では、裏板１３と後面板１１と仕切り板１６，１７とには、左右中間部のみに係合溝１９を設けたが、例えば左右中間部とその両側との３か所に設けたり、左右中間部を挟んだ２か所に設けるなど、係合溝１９を仕切り板１６，１７の左右複数箇所に設けることも可能である。
【００３４】
また、図３（Ａ）及び図４（Ａ）に示すように、本願発明に係る仕切り板１６，１７よりも長さが短い補助仕切り板２４を使用して、更に小さい空間に仕切ることも可能である。すなわち、本願発明は、同じ長さでＴ形に嵌合できる仕切り板の他の補助仕切り板の使用を排除しているものではないのであり、この点は、他の実施形態も同様である。
【００３５】
(2).他の実施形態
次に、図５，６に示す他の実施形態を説明する。図５に示す第２実施形態では、係合突起１８を仕切り板２１の巾厚さ方向の中間に位置させている。従って、仕切り板２１の端部は凸形になっている。この形態では、仕切り板２１は表裏の方向性がないため、使い勝手が高くなっている。
【００３６】
この第２実施形態では３枚の仕切り板２１を使用しており、各仕切り板２１の複数箇所（３か所）に係合溝１９を形成することで、収容部を左右方向に３つ以上に仕切ることができるようになっている。また、（Ｂ）に示すように、３枚の仕切り板２１をＨ形にも嵌合できるようになっている。
【００３７】
更に、左右の側板１０には、裏板１３に近接した部位と後面板１１に近接した部位とに係合溝１９を形成している。従って、仕切りに使用しない仕切り板１６，１７を、裏板１３又は後面板１１に重ねた状態に格納することができる。
【００３８】
なお、第１実施形態にしても第２実施形態にしても、係合突起１８は仕切り板１６，１７，２１に一体に設けているが、別部材に製造してこれを仕切り板１６，１７，２１に固定してもよい。また、係合溝１９を金属又は樹脂からなる別部材で構成することも可能である。
【００３９】
図６に示す第３実施形態では、仕切り板２２と側板１０（或いは裏板１３、後面板１１９）との嵌合手段、及び、仕切り板２２同士の嵌合手段として、側板１０や仕切り板２２に、仕切り板２２の板厚よりも僅かに大きい係合溝１９を形成している。この例では、仕切り板２２の端部には特段の加工を施す必要がないので、それだけ構造は簡単になる。
【００４０】
図７に示す第４では、引出し５の収納部は左右横長の長方形になっており、内部に３枚の仕切り板２３を配置している。３本の仕切り板２３は、多大に独立した並列したり、Ｈ形に嵌合したり、２本のみをＬ形に嵌合したりすることができる。
【００４１】
以上、本願発明の実施形態を説明したが、本願発明は、他にも様々に具体化できる。例えば、仕切り板と引出し本体との嵌合手段（或いは仕切り板同士の嵌合手段）は、係合突起と係合溝との関係を上記の実施形態とは逆にしてもよい。また、引出し５は木製である必要はなく、金属製や樹脂製であってもよい。或いは、異種素材からなる部材の複合品であってもよい。
【００４２】
また、本実施形態は、ワゴン１の一部を構成する下段の引出し５に適用しているが、これに限定される必要はないのであり、上段の引出し３又は中段の引出し４のうちのいずれか一方又は両方に適用することもできる。勿論、全部の段に適用してもよい。
【００４３】
更に、適用対象はワゴンに限らず、キャッビネットや机、ライティングビューロなどの各種の家具類に適用できる。建物に建て付けた収納装置にも適用可能である。複数段の引出しを備えた家具の場合、複数段の引出しを本願発明の構成にしたり、前段の引出しを本願発明の構成にしたりすることも可能である。
【００４４】
嵌合手段として係合突起と係合溝とを採用する場合、係合突起の端部を先窄まりのテーパ状に形成したり、係合溝の開口部を開口縁に向けて広がるテーパ状に形成したりすることにより、係合突起と係合溝との嵌め合わせをガイドすることも可能である。すなわち、係合突起と係合溝とのうち一方又は両方に、互いの嵌まり合いを誘うガイド部を設けてもよい。
【産業上の利用可能性】
【００４５】
本願発明は、実際に引出しに具体化できる。従って、産業上利用できる。
【符号の説明】
【００４６】
１  ワゴン
５  引出し
９  前板
１０  側板（長辺部）
１１  後面板（短辺部）
１２  底板
１３  裏板（短辺部）
１４  引出し本体
１６，１７，２１，２２  仕切り板
１８  係合突起
２９  第１及び第２の嵌合部の一例としての係合溝
【図１】
2015223189.tif 000003
【図２】
2015223189.tif 000004
【図３】
2015223189.tif 000005
【図４】
2015223189.tif 000006
【図５】
2015223189.tif 000007
【図６】
2015223189.tif 000008
【図７】
2015223189.tif 000009